(57)【特許請求の範囲】
【請求項１】
非肌当接面に粘着部を有し且つ該粘着部に剥離紙が粘着されている吸収性物品を、包装袋によって個別包装する包装構造であって、
上記包装袋は、上記吸収性物品が収納される袋状のポケット部と、該ポケット部の開口部の一側縁に連設され該開口部を封鎖する蓋部とを備え、
上記ポケット部の上記開口部の他側縁に切欠部を設け、
上記蓋部の自由側縁端部の内面に、上記剥離紙に対する粘着力が上記粘着部の上記剥離紙に対する粘着力よりも大きい封止用粘着部を設け、
上記吸収性物品は、上記剥離紙を上記切欠部に露出させて上記ポケット部に収納され、且つ該吸収性物品の幅方向に沿って設けられた２つの折曲部によって長手方向に前部、中央部及び後部の３つに分画され、且つ該前部及び該後部それぞれが上記中央部に重なるように肌当接面を内側にして折曲されており、上記粘着部が、上記前部及び上記後部に設けられており、
上記封止用粘着部を、上記ポケット部の上記開口部の上記他側縁近傍に上記切欠部を亘って粘着させた
ことを特徴とする吸収性物品の包装構造。
【請求項２】
上記粘着部が上記ポケット部の外方に配置されていることを特徴とする請求項１に記載の吸収性物品の包装構造。
【発明の詳細な説明】
【０００１】
【発明の属する技術分野】
本発明は、生理用ナプキンやおりものシート等の吸収性物品を、包装袋によって個別包装する包装構造に関し、更に詳しくは、吸収性物品を容易に包装及び取り出し可能な簡易な包装形態からなり、且つ装着作業性に優れた吸収性物品の包装構造に関する。
【０００２】
【従来の技術及び発明が解決しようとする課題】
一般に、生理用ナプキンやおりものシート等の非肌当接面に粘着部を備え、該粘着部を下着等に粘着させてずれを防止する吸収性物品では、粘着部は剥離紙が粘着されて使用時まで保護されるが、装着に際して剥離紙を剥離し且つ吸収性物品の包装されていた包装袋とは別に剥離紙を廃棄する手間が必要であり、装着操作が複雑となる。
【０００３】
この点を解消するために、剥離紙を包装袋に固定したり、包装袋に剥離処理を施して粘着部を包装袋に粘着させたりする吸収性物品の包装構造が提案されている。しかし、このような包装構造では、装着操作は簡易になるものの、吸収性物品の折り畳み形態によっては、包装形態が複雑になり得るため、より簡単な包装形態で、装着作業性に優れたものが望まれている。
【０００４】
従って、本発明の目的は、吸収性物品を容易に包装及び取り出し可能な簡易な包装形態からなり、且つ装着作業性に優れた吸収性物品の包装構造を提供することにある。
【０００５】
【課題を解決するための手段】
本発明は、非肌当接面に粘着部を有し且つ該粘着部に剥離紙が粘着されている吸収性物品を、包装袋によって個別包装する包装構造であって、上記包装袋は、上記吸収性物品が収納される袋状のポケット部と、該ポケット部の開口部の一側縁に連設され該開口部を封鎖する蓋部とを備え、上記ポケット部の上記開口部の他側縁に切欠部を設け、上記蓋部の自由側縁端部の内面に、上記剥離紙に対する粘着力が上記粘着部の上記剥離紙に対する粘着力よりも大きい封止用粘着部を設け、上記吸収性物品は、上記剥離紙を上記切欠部に露出させて上記ポケット部に収納され、上記封止用粘着部を、上記ポケット部の上記開口部の上記他側縁近傍に上記切欠部を亘って粘着させた吸収性物品の包装構造を提供することにより、上記目的を達成したものである。
【０００６】
【発明の実施の形態】
以下、本発明の吸収性物品の包装構造を、その好ましい一実施形態について図面を参照しながら具体的に説明する。
【０００７】
本実施形態の吸収性物品の包装構造１は、非肌当接面に粘着部１１，１１を有し且つ該粘着部１１，１１に剥離紙１２，１２が粘着されている吸収性物品１０を、包装袋２０によって個別包装する包装構造である。本実施形態の吸収性物品の包装構造１の包装袋２０は、図１に示すように、上記吸収性物品１０が収納される袋状のポケット部２１と、該ポケット部２１の開口部２１ａの一側縁に連設され該開口部２１ａを封鎖する蓋部２２とを備えている。該ポケット部２１の上記開口部２１ａの他側縁２１ｃには切欠部２１ｄ，２１ｄが設けられており、上記蓋部２２の自由側縁端部２２ａの内面には、封止用粘着部２２ｂが、該自由側縁端部２２ａに沿って設けられている。この封止用粘着部２２ｂの上記剥離紙１２，１２に対する粘着力は、上記粘着部１１，１１の上記剥離紙１２，１２に対する粘着力よりも大きくなっている。
【０００８】
そして、上記吸収性物品１０は、上記剥離紙１２，１２を上記切欠部２１ｄ，２１ｄに露出させた状態で上記ポケット部２１に収納されており、図２にも示すように、上記蓋部２２は、ポケット部２１に収納された吸収性物品１０の幅方向に沿って吸収性物品１０に巻回され、蓋部２２の自由側縁部２２ａはポケット部２１の外面に重合されている。包装袋２０は、上記封止用粘着部２２ｂを、上記ポケット部２１の開口部２１ａの他側縁２１ｃ近傍に、上記切欠部２１ｄ，２１ｄを亘って粘着することにより、封止され個別包装されている。
【０００９】
本実施形態について更に詳述すると、上記吸収性物品１０は、実質的に縦長に形成されており、肌当接面を形成する液透過性の表面シートと非肌当接面を形成する液不透過性の裏面シートとの間に液保持性の吸収体を介在配置させ、これらの表面シートと裏面シートとを吸収体の周縁において固着させたものである。上記表面シート、上記裏面シート及び上記吸収体としては、従来より通常用いられているものを特に制限なく用いることができる。
この吸収性物品１０は、その幅方向に沿って設けられた２つの折曲部１３，１３によって前部１０Ｆ、中央部１０Ｃ及び後部１０Ｒの３つに分画されており、２つの上記折曲部１３，１３それぞれにおいて肌当接面を内側にして折曲されて、前部１０Ｆと後部１０Ｒとがその自由端部どうしを対向させた状態となっている。
【００１０】
上記粘着部１１，１１は、上記前部１０Ｆ及び上記後部１０Ｒそれぞれに、吸収性物品１０の幅方向に長く、設けられている。この粘着部１１，１１は、上記吸収性物品１０の非肌当接面上に粘着剤を塗布することにより形成させることができる。上記粘着剤としては、従来より下着との固定のためのずれ止め材として使用されているものを制限なく用いることができ、例えば、スチレン系ブロックポリマー、粘着付与剤及び軟化剤を主成分とし、スチレン相とゴム相との２相ブロック構造を保持しているものを用いることができる。
【００１１】
上記剥離紙１２，１２は、シート部材の一面に剥離処理剤を塗布して剥離面を形成させたものであり、該剥離面が、粘着部１１，１１に粘着されている。上記シート部材としては、紙やプラスチックフィルム等を用いることができる。上記剥離処理剤の剥離処理成分としては、シリコーン樹脂系、フッ素樹脂系、又はオクタデシルイソシアネート系等のものが好ましい。
【００１２】
そして、上記吸収性物品１０は、上述の様に折曲された状態で、且つ展開した状態における長手方向を上記収納袋２０のポケット部２１の開口部２１ａと平行にして、該ポケット部２１に収納されている。
【００１３】
上記包装袋２０は、帯状のフィルム部材の一端部を折り返し各側縁部それぞれにおける該側縁部どうしの対向部分をヒートシールにより固着させてポケット部２１を形成させたものであり、ポケット部２１と蓋部２２とが一体に形成されている。
【００１４】
上記包装袋２０を形成する上記フィルム部材としては、厚さ５〜５０μｍのポリプロピレン、ポリエステル、ポリエチレン、ポリビニルアルコール、あるいは不織布や紙、及びこれらの複合材料等の包装材料をフィルム状に形成したものが好ましく用いられる。さらに、該包装材料に、薄いポリオレフィンフィルムあるいはポリエステルフィルムを熱あるいは超音波等により接合したものは、適度な剛性を有しているため開封し易く、また耐熱性に優れているため生産上有利であることなどから、特に好ましい。
【００１５】
上記包装袋２０は、上記剥離紙１２，１２を上記封止用粘着部２２ｂに粘着させたままスムーズに上記蓋部２２を上記ポケット部２１から剥離させるため、その内面全面に剥離処理が施されている。尚、上記剥離処理は、内面の一部、例えば、内面の周縁部を残すようになされていてもよい。上記剥離処理を行うには、内面全面に、剥離処理剤を塗布するか又は剥離テープ又は剥離紙を貼付する等して行うことができる。また、この剥離処理は、シリコーン樹脂系、フッ素樹脂系、又はオクタデシルイソシアネート系等の剥離処理成分を含有する剥離処理剤等によって行うことができる。
【００１６】
上記ポケット部２１は、収納された吸収性物品１０の粘着部１１，１１がポケット部２１から露出される深さＤを有するように形成されている。また、ポケット部２１の切欠部２１ｄ，２１ｄは、上記開口部２１ａの他側縁２１ｃを平面視方形形状に切り欠いて形成されており、切欠部２１ｄ，２１ｄそれぞれから吸収性物品１０の剥離紙１２，１２が露出されている。ポケット部２１は、切欠部２１ｄ，２１ｄの周縁においてわずかに剥離紙１２，１２と重合されている。
【００１７】
上記蓋部２２の上記封止用粘着部２２ｂは、蓋部２２の自由側縁部２２ａの内面に粘着剤を塗布することにより形成されている。この封止用粘着部２２ｂを形成させる上記粘着剤としては、上記粘着部１１, １１を形成する粘着剤と同様のものを用いることができる。尚、図１乃至図３において２０ａは、包装体２０の各側縁部であって、それぞれの対向する部分どうしでヒートシール法により貼り合わせられる封止側縁部を示している。
【００１８】
上記蓋部２２の封止用粘着部２２ｂと剥離紙１２，１２との粘着力は、粘着部１１，１１と剥離紙１２，１２との粘着力よりも２０ｇ／２５ｍｍ以上大きくなるようになっている。この粘着力の差は、粘着部１１，１１を形成させる粘着剤と封止用粘着部２２ｂを形成させる粘着剤とを適宜選択することにより、及び／又は、剥離紙１２，１２に用いられるシート部材の種類及び該シート部材の一面に施す剥離処理の剥離処理剤等を適宜選択することにより設定することができる。
【００１９】
本実施形態の吸収性物品の包装構造１によると、次のような種々の効果が奏される。
【００２０】
剥離紙１２，１２が、粘着部１１，１１との粘着力よりも大きな粘着力で蓋部２２の封止用粘着部２２ｂに粘着されているので、蓋部２２をポケット部２１から剥離して包装を開封すると、同時に、剥離紙１２，１２は蓋部２２に粘着されたまま粘着部１１，１１から剥離されて粘着部１１，１１が露出され、優れた装着作業性が発揮される。また、吸収性物品１０が、その全ての粘着部１１，１１を一つの外側の平面上に配置させた状態に折り畳まれているので、包装が容易であり、また、蓋部２２の剥離と同時に吸収性物品１０の全ての剥離紙１２，１２が剥離され且つ折り畳まれた状態のまま取り出しが可能であり、優れた装着作業性が発揮される。
【００２１】
吸収性物品１０の粘着部１１，１１がポケット部２１の外方に配置されているので、剥離紙１２，１２が剥離されて粘着部１１，１１が露出されても、該粘着部１１，１１がポケット部２１に粘着せず、吸収性物品１０の取り出しが容易であり、優れた装着作業性が発揮される。
【００２２】
ポケット部２１の外側面に剥離処理が施されて、封止用粘着部２２ｂとポケット部２１との粘着力が封止用粘着部２２ｂと剥離紙１２，１２との粘着力よりも小さくなっているので、蓋部２２の剥離に際し、剥離紙１２，１２が蓋部２２に粘着された状態のままスムーズに粘着部１１，１１から剥離され、容易且つ確実に粘着部１１，１１が露出される。包装袋２０の蓋部２２が剥離開封可能となっているので、ミシン目を破断開封する場合等よりも開封作業が容易である。また、蓋部２２の封止が粘着剤によりなされているので、一旦包装袋２０を開封した後に、蓋部２２をポケット部２１に再粘着させることができ、吸収性物品１０を取り出した後の包装袋２０を、使用後の吸収性物品を包装・廃棄のために利用することができる。
【００２３】
本発明の吸収性物品の包装構造は、上記実施形態に限定されるものではなく、各部材の具体的な形状、寸法等は、本発明の趣旨を逸脱しない限り適宜変更可能である。
例えば、吸収性物品１０の折り畳み形態は、上記実施形態の如きいわゆる観音開き形態に限られず、吸収性物品１０を略均等に長さ方向に３つに分割する２つの折曲部１３，１３において折曲された３つ折りの形態や、２つ折り形態とすることもできる。
尚、上記吸収性物品１０の折り畳み形態及び粘着部１１の位置は、上記実施形態の如く、包装袋２０に収納された状態における吸収性物品１０の粘着部１１，１１が全て外側の一つの平面上に配置されるものが、装着作業性の点から最も好ましい。
【００２４】
包装袋２０は、ポケット部２１と蓋部２２とが一体に形成されていなくてもよく、例えば、ポケット部２１と蓋部２２とを別体として形成したものを連設して形成させることもできる。
また、上記実施形態では、包装体２０の内面には剥離処理が施されてたが、施されていなくてもよく、包装袋２０の各側縁部は貼り合わせられていたが、貼り合わせられていなくてもよく、貼り合わせる場合、ヒートシール法に限らず、超音波シール法、ホットメルト接着剤を用いたシール法等により行うこともできる。
【００２５】
【発明の効果】
請求項１に記載の吸収性物品の包装構造によれば、吸収性物品の剥離紙と包装袋の蓋部の封止用粘着部とが該剥離紙と粘着部との粘着力よりも大きな粘着力で粘着されており、包装袋の開封と同時に剥離紙が粘着部から剥離されるので、優れた装着作業性を得ることができる。
【図面の簡単な説明】
【図１】本発明の吸収性物品の包装構造の一実施形態を、蓋部を封鎖させていない状態で示す斜視図である。
【図２】図１の吸収性物品の包装構造を、蓋部を封鎖させた状態で示す斜視図である。
【図３】図１の吸収性物品の包装構造の開封後の状態を示す斜視図である。
【符号の説明】
１    吸収性物品の包装構造
１０    吸収性物品
１０Ｆ  前部
１０Ｃ  中央部
１０Ｒ  後部
１１    粘着部
１２    剥離紙
１３    折曲部
２０    包装袋
２０ａ  封止側縁部
２１    ポケット部
２１ａ  開口部
２１ｃ  他側縁
２１ｄ  切欠部
２２    蓋部
２２ａ  自由側縁端部
２２ｂ  封止用粘着部
Ｄ    （ポケット部の）深さ
【図１】
0003998332.tif 000002
【図２】
0003998332.tif 000003
【図３】
0003998332.tif 000004